(57)【要約】【課題】水及び水を主成分とした液体の双方が一つの水素水生成装置に交代で収納される場合にあって、水及び水を主成分とした液体に対応した表示線の構成とすることで、蓋部を取り外した時に、ボトル部内の圧力室に形成された泡と共に水素水、すなわち泡沫がボトルから噴き出る現象を防止する。【解決手段】蓋体部側に表示された表示線が、当該表示線の線上であるいは近傍に水を表現するマークが付着されて、ボトル部内に水を収納させたときの水の適正な供給量の目安とさせる表示線が設けられ、ポット本体底部側に表示された表示線が、当該表示線の線上であるいは近傍に水を主成分とした液体を表現するマークが付着されて、ボトル部内に水を主成分とした液体を収納させたときの当該液体の供給量の適正な目安とさせる表示線が設けられる。【選択図】図３
2020099844.tif 000002
【特許請求の範囲】
【請求項１】
蓋体部を備え、内部に水あるいは水を主成分とした液体を収納するボトル部を有するポット本体と、水素発生部とからなり、水素発生部で発生した水素がボトル部に供給されて、水素が溶解する水あるいは水を主成分とした液体を生成する表示線を持つ水素水生成装置において、
ポット本体が、利用者に、ボトル部内に収納させる水あるいは水を主成分とした液体の供給量の目安とさせる、外面に表示された表示線を備え、当該表示線が蓋体側に表示された表示線と当該表示線に並行し、ポット本体底部側に表示された表示線との少なくとも２本の表示線からなり、
蓋体部側に表示された表示線が、当該表示線の線上にあるいは近傍に水を直接的に表現する一方の種類のマークが付着されて、ボトル部内に水を収納させたときの水の導入量の目安とさせる表示線機能を有し、ポット本体底部側に表示された表示線が、当該表示線の線上にあるいは近傍に水を主成分とした液体を直接的に表現する他方の種類のマークが付着されて、ボトル部内に水を主成分とした液体を収納させたときの当該水を主成分とした液体の導入量の目安とさせる表示線機能を有すること
を特徴とする表示線を持つ水素水生成装置。
【請求項２】
請求項１に記載された表示線を持つ水素水生成装置において、
当該水素水生成装置を図示し、水素水生成装置の図示されたポット本体上に、前記ポット本体に表示された２本の表示線及び２種類のマークの位置関係に対応付けられた２本の表示線及び２種類のマークを図示し、当該２種類のマークを拡大して図示すること
を特徴とする表示線を持つ水素水生成装置。
【発明の詳細な説明】
【技術分野】
【０００１】
本発明は、表示線を持つ水素水生成装置に関する。
【背景技術】
【０００２】
飲料用水素水生成用ポットが広く知られている。
【０００３】
特許文献１には、蓋体を備え、内部に水あるいは水を主成分とした液体を収納するボトル部を有するポット本体と、水素発生剤を収納した水素発生部とからなり、水素発生部で発生した水素がボトル部に供給されて、水素が溶解する水あるいは水を主成分とした液体を生成する水素水生成装置が記載される。
【０００４】
特許文献２には、水素発生剤を収納した水素発生部の代わりに電気分解によって水素水を生成する水素発生部が使用されてもよい旨が記載される。
【０００５】
特許文献３には、水素水生成装置のボトル部の内部に発生した水素による圧力室が形成されること、この圧力室に関係して、利用者に、ボトル部内に収納させる水あるいは水を主成分とした液体の供給量の目安とさせる表示線が外表面に設けられることが記載される。この特許文献には、表示線を、基準線を基に上下に複数本設けて表示するようにしてもよい旨が記載される。ボトル内液体を全量吐出する場合に使用する線を基準線とした時に、吐出圧力を強めたい時に圧力室内体積を減らすマイナス線が設定されることが記載される。
【先行技術文献】
【特許文献】
【０００６】
【特許文献１】特許第５８９９３９２号公報
【特許文献２】特許第６１６３２７７号公報
【特許文献３】ＷＯ１６/２０３６１１号公報
【発明の概要】
【発明が解決しようとする課題】
【０００７】
特許文献１、２に記載されるように、水としてミネラル水が用いられ、水を主成分とした液体としてコーヒー、紅茶、日本茶、ミルク、ジュース、日本酒などのアルコール類、スポーツドリンク等の飲料物独特の成分が溶解した水が用いられ、日にちによって、あるいは時間によって水と水を主成分とした液体に水素水が溶解された健康飲料水として楽しまれる。
【０００８】
また、特許文献３に記載されるように、水素水生成装置のボトル部の内部に発生した水素による圧力室が形成されること、この圧力室に関係して、利用者に、ボトル部内に収納させる水あるいは水を主成分とした液体の供給量の目安とさせる表示線が外表面に設けられる。
【０００９】
発明者等は、このような水素水生成装置の開発、製造に携わってきたが、表示線までに水を主成分とした液体を収納し、水素ガスを発生させ、発生した水素ガスを、水を主成分とした液体中に放散させ、さらに水素水生成装置を振盪させて水素の液体中への溶解度を上げることがなされると、蓋部を取り外した時に、ボトル部内の圧力室に形成された泡と共に水素水である泡沫がボトルから噴き出ることがあり、利用者の衣服を汚すことがあることを知った。このような現象は、水の収納量を基準として、表示線が設定されているために、この表示線が水を主成分とした液体に導入に際しても、利用者に使用されることに原因があることが分かった。
【００１０】
本発明は、かかる点に鑑み水及び水を主成分とした液体の双方が一つの水素水生成装置で生成される場合にあって、水及び水を主成分とした液体に対応した表示線を明確に見分けできるように設定することで、所定の圧力の下、水を主成分とした液体に対応した水素水量を生成するときに、当該水を主成分とした液体に対応した表示線を使用可能とし、蓋部を取り外した時に、ボトル部内の圧力室に形成された泡と共に水素水、すなわち泡沫がボトルから噴き出る現象を防止することを課題とする。
【課題を解決するための手段】
【００１１】
本発明は、蓋体部を備え、内部に水あるいは水を主成分とした液体を収納するボトル部を有するポット本体と、水素発生部とからなり、水素発生部で発生した水素がボトル部に供給されて、水素が溶解する水あるいは水を主成分とした液体を生成する表示線を持つ水素水生成装置において、
ポット本体が、利用者に、ボトル部内に収納させる水あるいは水を主成分とした液体の供給量の目安とさせる、外面に表示された表示線を備え、当該表示線が蓋体側に表示された表示線と当該表示線に並行し、ポット本体底部側に表示された表示線との少なくとも２本の表示線からなり、
蓋体部側に表示された表示線が、当該表示線の線上にあるいは近傍に水を直接的に表現する一方の種類のマークが付着されて、ボトル部内に水を収納させたときの水の導入量の目安とさせる表示線機能を有し、ポット本体底部側に表示された表示線が、当該表示線の線上にあるいは近傍に水を主成分とした液体を直接的に表現する他方の種類のマークが付着されて、ボトル部内に水を主成分とした液体を収納させたときの当該水を主成分とした液体の導入量の目安とさせる表示線機能を有すること
を特徴とする表示線を持つ水素水生成装置を提供する。
【００１２】
本発明は、上述された表示線を持つ水素水生成装置において、
当該水素水生成装置を図示し、水素水生成装置の図示されたポット本体上に、前記ポット本体に表示された２本の表示線及び２種類のマークの位置関係に対応付けられた２本の表示線及び２種類のマークを図示し、当該２種類のマークを拡大して図示すること
を特徴とする表示線を持つ水素水生成装置を提供する。
【発明の効果】
【００１３】
ボトル部内に水を収納させたときの水の適正な導入量の目安とさせる表示線及びボトル部内に水を主成分とした液体を収納させたときの当該水を主成分とした液体の導入量の適正な目安とさせる表示線に、ボトル部内に収納された水あるいは水を主成分とした液体を直接的に的確に表現するマークを付着することで、水の適正な導入量の表示線機能及び水を主成分とした液体の適正な導入量の表示線機能を得ることができる。
【００１４】
これによって、水及び水を主成分とした液体の双方が一つの水素水生成装置で生成される場合にあって、利用者が水及び水を主成分とした液体に対応した表示線を明確に見分けできるようにすることで、所定の圧力の下、水を主成分とした液体に対応した水素水量を生成し、蓋部を取り外した時に、ボトル部内の圧力室に形成された泡と共に水素水、すなわち泡沫がボトルから噴き出る現象を防止することができ、利用者の便宜に寄与させることができる。
【図面の簡単な説明】
【００１５】
【図１】水素水生成装置の構造形態を示す図
【図２】電気分解装置を用いた水素発生部を示す図
【図３】本発明の実施例を説明する図
【図４】本発明の他の実施例を説明する図
【発明を実施するための形態】
【００１６】
本実施例で用いられる用語について説明する。
＜水＞  ミネラル水、水道水、純水
＜水を主成分とした液体＞  コーヒー、紅茶、日本茶、ミルク、ジュース、日本酒などのアルコール類、スポーツドリンク等の飲料物。少なくとも「水」に比べれば、泡沫の原因となる界面活性成分が多く含まれる。
＜泡沫＞  多数の気泡が液体上面に浮上し塊を形成したもの（Ｍａｃｒｏ−ｆｏｒｍ）
＜従来の表示線の表示機能＞  水素を貯留する圧力室を視覚するためにボトル内水位と圧力室の境界を示唆する１又は数本の線
＜表示線Ａ＞  「水の使用」の時に望ましく用いられることを示唆する線である。「水の使用」の時に望ましく用いられることを示唆する線であることがミネラルボトルなどのマークによって示唆された線
＜表示線Ｂ＞  「水を主成分とした液体の使用」の時に望ましく用いられることを示唆する線である。「水を主成分とした液体の使用」の時に望ましく用いられることを示唆する線であることがコーヒー、紅茶、日本茶、ミルク、ジュース、日本などのアルコール類、スポーツドリンク等の飲料物のマークによって示唆された線
＜ミネラルボトルになるマーク＞  一方の種類のマークである。表示線が水に基づく水素水を生成する場合に当該水の使用を示唆する線であることを示唆する文字・記号等をデザインした表示模様で、蓋側に形成される特徴を持つ。
＜コーヒー、紅茶、日本茶、ミルク、ジュース、日本酒などのアルコール類、スポーツドリンク等の飲料物になるマーク＞  他方の種類のマークである。ミネラルボトルになるマークに対抗表示され、表示線が水を主成分とした液体に基づく水素水を生成する場合に当該水を主成分とした液体の使用を示唆する線であることを示唆する文字・記号等をデザインした表示模様で、底部側に形成される特徴を持つ。
＜的確に直接的に表現するマーク＞  水の場合には、混入材のない水そのものを示すマーク、混入材のない水を収納するミネラルボトルマーク。水を主成分とする液体の場合には、水に混入材が存在する、例えばコーヒー、紅茶、日本茶、ミルク、ジュース、日本などのアルコール類、スポーツドリンク等の飲料物のマーク
図１は、水素水生成装置１００の構造形態を示す図である。
【００１７】
図１（a）は、水素水生成装置１００の構造形態を示す図である。図１（ｂ）は、水に対応した表示線が設けられていて、水を主成分とした液体が収納された場合に、蓋部を取り外した時に、ボトル部内の圧力室に形成された泡と共に水素水である泡沫がボトルから噴き出る現象を示す図である。
【００１８】
図１（a）において、水素水生成装置１００は、ポット本体１と、このポット本体に外部から取り付けられた水素発生部３とからなり、一定形態に製造される。
【００１９】
ポット本体１は、外面が円筒状形状をなし、内部が液体貯槽となるボトル部１１とされ、水素を溶解しようとする水あるいは水を主成分とした液体体がボトル部１１に収納される。  
ボトル部１１内に、液体貯槽部が形成される。水は、多くの場合、ポットに収容されたミネラルウオーター（水）あるいは水道水等の飲料水である。水を主成分とした液体は、コーヒー、紅茶、日本茶、ミルク、ジュース、日本酒などのアルコール類、スポーツドリンク等の飲料物独特の成分が溶解した水であり、美顔用の液体であってもよいし、薬用液体であってもよい。
【００２０】
ポット本体１は、上部が狭められた形状をなし、先端部が開口部１３となる。
【００２１】
ポット本体１の狭められた形状をなす上部に蓋部２が設けられる。  蓋部２は、ポット本体１の外面と蓋部２の内面に双方が持つネジ部によって形成されたねじ溝機構５１による係合によってポット本体１に螺着によって取り付けられる。ポット本体１と蓋部２の内面との間には、平パッキング５２が設けられる。ポット本体１と蓋部２とは、外径形状がほぼ同一に形成される。
【００２２】
ポット本体１の下部には、水素発生部３が取り付け可能なようにして設けられる。水素発生部３が、ポット本体１の外面と蓋部２の内面に形成されたねじ溝機構５３による係合による螺着によってポット本体１に取り付けられる。ポット本体１と水素発生部３とは、外径形状がほぼ同一に形成される。ポット本体１と水素発生部３との間にパッキング部５４が設けられる。
【００２３】
水素発生部３は、ポット本体１と同等の外形を持ち、内部に水素発生空間部１５が形成される。水素発生空間部１５は、水素発生剤１７を収納することが出来る。水素発生部３の上面とポット本体１の下面との間にはパッキング５４が設けられる。水素発生空間部１５は、ポット本体側に形成された水素ガス流通路１６に接続される。水素ガス流通路１６には、逆止弁１８が設置される。水素ガス流通路１６は、逆止弁保持体２０に形成され、逆止弁保持体２０は、逆止弁１８を保持する。
【００２４】
水素ガス流通路１６の先端部は小孔径の導入口１９とされ、導入口１９はボトル部１１に向けて開口している。これによって、水素発生空間部１５は、水素ガス流通路１６、逆止弁１８、導入口１９を介してボトル部１１に接続される。
【００２５】
逆止弁１８によって、ボトル部内の水が水素発生空間部１５に洩れ出ることが防止される。ポット本体１と水素発生部２の螺合による係合が解かれ、水素発生空間部１５に配設された水素発生剤１７に外部から水が加えられると、反応がなされ数秒置いて水素ガスが水素発生空間部１５に溜まり、圧力が高まる。ポット本体１と水素発生部２の螺合による係合状態で、発生し、高圧となった水素ガスがボトル部１１に導入される。
【００２６】
水素発生剤１７の典型的な例は、アルミニウム剤と酸化カルシウムからなる混合材であり、ここ混合材の構成、化学反応についてはよく知られている。アルミニウム剤と酸化カルシウムからなる混合材以外の部材でなる水素発生剤が用いられてもよい。
【００２７】
本例では、水素発生部２がポット本体１の下部に取り付けた形状とされたが、よく知られているように、例えば水素発生部をボトル部１１の中に設置するようにしてもよい。
【００２８】
表示線２２が、一定形態のポット本体１に、視覚確認可能に表示されて設けられる。表示線２２は、ポット本体１の全周囲に設けられることを要しない。位置方向から視認出来る長さがあれば十分である。一周設けられてもよい。水素発生前にボトル部内に水素を貯留する圧力室とボトル部の貯留液体との想定境界を示して、圧力室２１に所定の体積を設定する場合の目安となる。
【００２９】
このようにポット本体１の表面に水素を貯留する圧力室２１と貯留された水あるいは水を主体とした液体との想定境界を示す表示線２２が水平方向に表示されることで設けられた（従来の表示線の表示機能）。したがって、表示線２２は、境界線としての機能を有する。
【００３０】
図１には、表示線２２の従来の利用態様が記載される。表示線２２は、ボトル部上に、所定の幅を持って視覚確認可能に表示される。また、表示線２２は、ボトル部の上部面あるいは内面に、視覚確認可能に印刷表示される。貼付されてもよい。これによって、圧力室２１の貯留された水あるいは水を主体とした液体から区画される位置が指示されて所定の体積が設定され、圧力室が形成されることが視角確認され、体積の大きさが視角確認される。視覚確認出来るようにしておくことが、利用者が飲料水をポット本体１内に収容する時に、容易に推奨される量を見定めて収納する上で重要である。表示線２２の形態は直線、星印マークの直線状配列、記号マークの直線状配列等の各種の表示によって行えばよい。
【００３１】
表示線２２を、基準線を基に上下に複数本設けて表示するようにしてもよい。これによって、ボトル内液体を全量吐出する場合に使用する線を基準線とした時に、吐出圧力を強めたい時に圧力室内体積を減らすマイナス線を設定し、ボトル内液体を全量吐出する必要のない時に吐出圧力を弱めて圧力室内体積を増やしてプラス線を設定するようにしてもよい。どの指示線が使用されるに適し、推奨されるかは、説明文で説明される。
【００３２】
本実施例は、上述したように表示線２２が、一定形態のポット本体１に、視覚確認可能に表示されて、水素発生前にボトル部内に水素を貯留する圧力室とボトル部の貯留された水あるいは水を主体とした液体との想定境界を示して、圧力室２１に所定の体積を設定する。利用者は、表示線２２によって圧力室２１に所定の体積を容易に設定することができる。
【００３３】
ボトル部内に水素を貯留する圧力室２１と貯留された水あるいは水を主体とした液体との想定境界を示す表示線２２が表示されることで体積の設定された圧力室２１が容易に形成され、本体ポット内全量の飲料水を吐出させる水素発生剤１７の使用量を可能な限り抑制して使用することが出来る。
【００３４】
水素発生剤１７は、多くに場合、小袋に定量入れられ、使用時にそのうちの１個の袋詰めの水素発生剤１７が使用される。そして、使用に際して適宜の水が加えられる。用途に対応して水素発生剤１７の量をコントロールすることは、汎用性保持のためコストを増やすことになる。これに比べて、表示線２２の設定は、容易であり、コストの増大を極小なものに留めることが出来る。水素発生剤１７の量をコントロールすることに比べて、表示線設定の優位性がある。
【００３５】
表示線２２の位置によって定まる圧力室２１の体積と、水素発生剤１７の量とで定まる、ボトル部内貯留液体が底部配置の吐出管の吸い込み先端口まで全部吐出される吐出圧力が、水素発生剤１７の量を一定とした時に、０．０１ＭＰ以上加算された十分な吐出圧力になるように、表示線位置が設定される。
【００３６】
水素発生剤１７を用いた水素発生部３の代わりに電気分解装置９０が用いた水素発生部３が用いられ得る。
【００３７】
図２は、電気分解装置９０が用いた水素発生部３を示す図である。
【００３８】
電気分解装置９０が部屋４１内に設置されて水素水蒸気混合ガス生成手段４０が形成される。電気分解装置９０は、２つの電極板９１，９２を備える。部屋４１の側壁に沿ってヒーター９３が設けられ、下部部分の下部筒部は、ヒーター９３からの熱に耐える断熱材で形成される。２つの電極板９１，９２は、正極、負極の対をなして配置される。電極板９１，９２及びヒーター９３及び電線９５，９６は、電源９７にそれぞれ接続される。電源９８は、電線９９を介して、孔１０１を通して外部電源（図示せず）に接続される。
【００３９】
このような構造において、水の電気分解によって水素が発生し、発生した水素ガスが小孔部７０を介してボトル部１１に導入される。
【００４０】
図１に戻って、図１（ｂ）に示されるように、圧力室２１に、表示線２２に位置によって定まる体積および水素発生剤１７の量により定まる圧力が形成され、水に対応した表示線が設けられた。
【００４１】
水に対応した表示線が設けられた場合に、水を主成分とした液体が収納されると、蓋部を取り外した時に、ボトル部内の圧力室に形成された泡と共に水素水１４が泡沫となってポット本体１の開口部から噴き出る現象が発生する場合がある。図２に示される電気分解装置９０が用いた水素発生部３の場合も同様である。
【００４２】
水を主成分とした液体が水に比べて泡沫を多く発生する理由は、次のようと考えられる。
１） 水を主成分とした液体中に含まれる界面活性剤成分の活性度が高くなる。
２） 泡の膜粘度が強くなり膜が破れない。
３） 水を主成分とした液体の硬度が低くなる。
４） 使用により液粘度が高くなる。
【００４３】
このような現象が生じても、水を主成分とした液体で生成された水素水がポット本体１の開口部から溢れ出ることが防止されることが求められる。
【００４４】
図３は、本発明の実施例を説明する図である。
【００４５】
本発明の実施例に示されるポット本体１、蓋部２及び水素発生部３の構成は、図１（a）に示される実施例に示されるポット本体１、蓋部２及び水素発生部３の構成と同一である。また、図２に示される電気分解装置９０が用いた水素発生部３が採用可能であることも同様である。
【００４６】
水素水生成装置１００は、蓋体部２を備え、内部に水あるいは水を主成分とした液体を収納するボトル部１１を有するポット本体１と、水素発生部３を有し、水素発生部３で発生した水素がボトル部に供給される。水素水生成装置１００は、水あるいは水を主成分とした液体の双方に使用可能であり、どちらかを使用するかは利用者に委ねられる。
【００４７】
このような構成において、外面に表示された表示線が蓋体側に表示された表示線２２Ａとポット本体底部側に表示された表示線２２Ｂとの少なくとも２本の表示線２２からなる。これらの表示線２２Ａ及び２２Ｂがポット本体１の外面に形成された。
【００４８】
蓋体部側に表示された表示線２２Ａが、水の使用を示唆する線であり、ポット本体底部側に表示された表示線２２Ｂが、水を主成分とした液体の使用を示唆する線である。
【００４９】
蓋体部側に表示された表示線２２Ａが、当該表示線の近傍に水を表現するマークが付着されて、ボトル部内に水を収納させたときの水の適正な供給量の目安とさせる表示線であり、ポット本体底部側に表示された表示線２２Ｂが、当該表示線の近傍に水を主成分とした液体を表現するマークが付着されて、ボトル部内に水を主成分とした液体を収納させたときの当該液体の供給量の適正な目安とさせる表示線である。当該表示線上に水を表現するマークが付着されてもよい。
【００５０】
本例では、２つのマークが２つの表示線の近傍にそれぞれ付着されたが、２つのマークが２つの表示線の線上にそれぞれ付着されるようにされてもよい。また、本例では、２つの表示線が実線で表されているが、点線あるいは他の線で表現されてもよい。また、本例では、線で表示線を表しているが、例えば水、水、水…のようにして並べて「水」を水平方向に表現して線を表現することができる。そして、水、水、水…のようにして並べて「水」による線上にミネラルボトルを表現することができる。水を主成分とした液体についても同様である。
【００５１】
水を表すマーク３１に対抗して水を主成分とした液体を表すマーク３２が表示される。２つの表示方法が採用可能である。
【００５２】
表示線２２Ａには、本例の場合、表示線２２Ａの直近の上側に水を表現するミネラルボトルになるマーク３１が付着された。ミネラルボトルになるマーク３１は、表示線２２Ａが水に基づく水素水を生成する場合に当該水の使用を示唆する線であることを示唆する文字・記号等をデザインした表示模様である。表示線２２Ａは、水がポット本体内に導入されたときに、適正に圧力室２１が形成され、蓋部２を取り外しした時に、ポット本体１の開口部１３から水が噴き出ることが防止される。
【００５３】
表示線２２Ｂには、本例の場合、表示線２２Ｂの直近の下側に水を主成分とした液体を表現するコーヒー、紅茶、日本茶、ミルク、ジュース、日本酒などのアルコール類、スポーツドリンク等の飲料物になるマーク３２が付着された。コーヒー、紅茶、日本茶、ミルク、ジュース、日本などのアルコール類、スポーツドリンク等の飲料物になるマーク３２は、表示線３２Ｂが水を主成分とした液体に基づく水素水を生成する場合に当該水を主成分とした液体の使用を示唆する線であることを示唆する文字・記号等をデザインした表示模様である。水を主成分とした液体がポット本体内に導入されたときに、適正に圧力室２１が形成され、蓋部２を取り外しした時に、ポット本体１の開口部１３からコーヒー、紅茶、日本茶、ミルク、ジュース、日本酒などのアルコール類、スポーツドリンク等の飲料物である水を主成分とした液体が噴き出ることが防止される。
【００５４】
液体を表すマーク３２は、液体を表現するコーヒー、紅茶、日本茶、ミルク、ジュース、日本酒などのアルコール類、スポーツドリンク等の飲料物別あるいは分類して複数の表示線とすることができる。
【００５５】
上述したように、それぞれ的確に直接的に表現する２種類のマークが用いられる。  水の場合には、水そのものを直接示すマーク、水を収納するミネラルボトルマーク、水を主成分とする場合には、コーヒー、紅茶、日本茶、ミルク、ジュース、日本などのアルコール類、スポーツドリンク等の飲料物のマークが用いられる。スぺースが限定されたポット本体の外面上で、水あるいは水を主成分と飲料物を表すのに説明文を用いることは勧められない。視覚に訴える２種類のマークを用いることで、水の導入の場合、水を主成分とする液体の導入の場合かと瞬時に判定するのに便利である。
【００５６】
２本の表示線の内、蓋体部側に表示された表示線が、当該表示線の線上にあるいは近傍に水を直接的に表現する一方の種類のマークが付着されて、ボトル部内に水を収納させたときの水の導入量の目安とさせる表示線機能を持ち、ポット本体底部側に表示された表示線が、当該表示線の線上にあるいは近傍に水を主成分とした液体を直接的に表現する他方の種類のマークが付着されて、ボトル部内に水を主成分とした液体を収納させたときの当該水を主成分とした液体の導入量の目安とさせる表示線機能を持つ。
【００５７】
図４は、本発明の実施例を説明する図である。
【００５８】
これらの表示線２２Ａ及び２２Ｂがポット本体１の外面に形成されることは、図３に示されると同様である。表示線２２Ａ及び２２Ｂに機能も図３に示されると同様である。
【００５９】
図３にあっては、水を表現するミネラルボトルになるマーク３１がポット本体１の外面上で表示線２２Ａの直近の上側に付着され、水を主成分とした液体を表現するコーヒー、紅茶、日本茶、ミルク、ジュース、日本酒などのアルコール類、スポーツドリンク等の飲料物になるマーク３２がポット本体１の外面上で表示線２２Ｂの直近の下側に付着されたが、図４に示される例では、説明図が付加して用いられる。
【００６０】
当該説明図に水素水生成装置１００が記載され、説明図のボトル本体上で表示線２２Ａ及び２２Ｂが記載され、水を表現するミネラルボトルになるマーク３１がポット本体１の外面上で表示線２２Ａの直近の上側に記載され、水を主成分とした液体を表現するコーヒー、紅茶、日本茶、ミルク、ジュース、日本酒などのアルコール類、スポーツドリンク等の飲料物になるマーク３２がポット本体１の外面上で表示線２２Ｂの直近の下側に記載された。
【００６１】
この場合の水素水生成装置１００は、上述した説明図を備え、水素水生成装置の図示されたポット本体上に、前記ポット本体に表示された２本の表示線の位置関係に対応付けられて２本の表示線を図示し、この図示上で、蓋体側に表示された表示線が、当該表示線の線上あるいは近傍に水を表現するマークが付着されて、ボトル部内に水を収納させたときの水の適正な導入量の目安とさせる表示線を表し、ポット本体底部側に表示された表示線が、当該表示線の線上あるいは近傍に水を主成分とした液体を表現するマークが付着されて、ボトル部内に水を主成分とした液体を収納させたときの当該液体の導入量の適正な目安とさせる表示線を表す。
【００６２】
蓋体側に表示された表示線の線上あるいは近傍に水を表現するマーク及本体底部側に表示された表示線の線上あるいは近傍に水を主成分とした液体を表現するマークが拡大して記載され、利用者の便宜に供される。図３に示されるマーク図表示であると、ポット本体の外面上という制限があるが、説明図を併用することで、これらのマークを拡大して説明することができる。又説明文を併用することができる。
【００６３】
水素水生成装置において、当該水素水生成装置を図示し、水素水生成装置の図示されたポット本体上に、前記ポット本体に表示された２本の表示線及び２種類のマークの位置関係に対応付けられた２本の表示線及び２種類のマークを図示し、当該２種類のマークを拡大して図示することができる。
【００６４】
本実施例によれば、ボトル部内に水を収納させたときの水の適正な導入量の目安とさせる表示線及びボトル部内に水を主成分とした液体を収納させたときの当該水を主成分とした液体の導入量の適正な目安とさせる表示線に、ボトル部内に収納された水あるいは水を主成分とした液体を直接的に的確に表現するマークを付着することで、水の適正な導入量の表示線機能及び水を主成分とした液体の適正な導入量の表示線機能を得ることができる。
【００６５】
これによって、水及び水を主成分とした液体の双方が一つの水素水生成装置で生成される場合にあって、利用者が水及び水を主成分とした液体に対応した表示線を明確に見分けできるようにすることで、所定の圧力の下、水を主成分とした液体に対応した水素水量を生成し、蓋部を取り外した時に、ボトル部内の圧力室に形成された泡と共に水素水、すなわち泡沫がボトルから噴き出る現象を防止することができ、利用者の便宜に寄与させることができる。
【符号の説明】
【００６６】
１…ボトル本体、２…蓋部、３…水素発生部、１３…開口部、１４…ボトル部内の圧力室から溢れ出た泡沫、１７…水素発生剤、２１…圧力室、２２…表示線、２２Ａ…水に対応した表示線、２２Ｂ…水を主成分とする液体に対応した表示線、３１…水を表現するミネラルボトルになるマーク、３２…コーヒー、紅茶、日本茶、ミルク、ジュース、日本酒などのアルコール類、スポーツドリンク等の飲料物になるマーク、９０…電気分解装置、１００…水素水生成装置。
【図１】
2020099844.tif 000003
【図２】
2020099844.tif 000004
【図３】
2020099844.tif 000005
【図４】
2020099844.tif 000006
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
蓋体部を備え、内部に水あるいは水を主成分とした液体を収納するボトル部を有するポット本体と、水素発生部とからなり、水素発生部で発生した水素がボトル部に供給されて、水素が溶解する水あるいは水を主成分とした液体を生成する表示線を持つ水素水生成装置において、
ポット本体が、利用者に、ボトル部内に収納させる水あるいはコーヒー、紅茶、日本茶、ミルク、ジュース、日本酒などのアルコール類、スポーツドリンクの飲料物からなる水を主成分とした液体の供給量の目安とさせる、外面に表示された表示線を備え、当該表示線が蓋体側に表示された表示線と当該表示線に並行し、ポット本体底部側に表示された表示線との少なくとも２本の表示線からなり、
蓋体部側に表示された表示線が、水を直接的に表現する表示線であり、ポット本体底部側に表示された表示線が、前記水を主成分とした液体を直接的に表現する表示線であり、
蓋体部側に表示された表示線が、当該表示線の線上にあるいは近傍に水を直接的に表現する一方の種類のマークが付着されて、ボトル部内に水を収納させたときの水の導入量の目安とさせる表示線機能を有し、ポット本体底部側に表示された表示線が、当該表示線の線上にあるいは近傍に前記水を主成分とした液体を直接的に表現する他方の種類のマークが付着されて、ボトル部内に前記水を主成分とした液体を収納させたときの当該水を主成分とした液体の導入量の目安とさせる表示線機能を有すること
を特徴とする表示線を持つ水素水生成装置。
【手続補正２】
【補正対象書類名】明細書
【補正対象項目名】００１６
【補正方法】変更
【補正の内容】
【００１６】
本実施例で用いられる用語について説明する。
＜水＞  ミネラル水、水道水、純水
＜水を主成分とした液体＞  コーヒー、紅茶、日本茶、ミルク、ジュース、日本酒などのアルコール類、スポーツドリンクの飲料物。少なくとも「水」に比べれば、泡沫の原因となる界面活性成分が多く含まれる。
＜泡沫＞  多数の気泡が液体上面に浮上し塊を形成したもの（Ｍａｃｒｏ−ｆｏｒｍ）
＜従来の表示線の表示機能＞  水素を貯留する圧力室を視覚するためにボトル内水位と圧力室の境界を示唆する１又は数本の線
＜表示線Ａ＞  「水の使用」の時に望ましく用いられることを示唆する線である。「水の使用」の時に望ましく用いられることを示唆する線であることがミネラルボトルなどのマークによって示唆された線
＜表示線Ｂ＞  「水を主成分とした液体の使用」の時に望ましく用いられることを示唆する線である。「水を主成分とした液体の使用」の時に望ましく用いられることを示唆する線であることがコーヒー、紅茶、日本茶、ミルク、ジュース、日本酒などのアルコール類、スポーツドリンクの飲料物のマークによって示唆された線
＜ミネラルボトルになるマーク＞  一方の種類のマークである。表示線が水に基づく水素水を生成する場合に当該水の使用を示唆する線であることを示唆する文字・記号等をデザインした表示模様で、蓋側に形成される特徴を持つ。
＜コーヒー、紅茶、日本茶、ミルク、ジュース、日本酒などのアルコール類、スポーツドリンクの飲料物になるマーク＞  他方の種類のマークである。ミネラルボトルになるマークに対抗表示され、表示線が水を主成分とした液体に基づく水素水を生成する場合に当該水を主成分とした液体の使用を示唆する線であることを示唆する文字・記号等をデザインした表示模様で、底部側に形成される特徴を持つ。
＜的確に直接的に表現するマーク＞  水の場合には、混入材のない水そのものを示すマーク、混入材のない水を収納するミネラルボトルマーク。水を主成分とする液体の場合には、水に混入材が存在する、例えばコーヒー、紅茶、日本茶、ミルク、ジュース、日本などのアルコール類、スポーツドリンクの飲料物のマーク
【手続補正３】
【補正対象書類名】明細書
【補正対象項目名】００１９
【補正方法】変更
【補正の内容】
【００１９】
ポット本体１は、外面が円筒状形状をなし、内部が液体貯槽となるボトル部１１とされ、水素を溶解しようとする水あるいは水を主成分とした液体体がボトル部１１に収納される。  
ボトル部１１内に、液体貯槽部が形成される。水は、多くの場合、ポットに収容されたミネラルウオーター（水）あるいは水道水等の飲料水である。水を主成分とした液体は、コーヒー、紅茶、日本茶、ミルク、ジュース、日本酒などのアルコール類、スポーツドリンクの飲料物独特の成分が溶解した水であり、美顔用の液体であってもよいし、薬用液体であってもよい。
【手続補正４】
【補正対象書類名】明細書
【補正対象項目名】００５３
【補正方法】変更
【補正の内容】
【００５３】
表示線２２Ｂには、本例の場合、表示線２２Ｂの直近の下側に水を主成分とした液体を表現するコーヒー、紅茶、日本茶、ミルク、ジュース、日本酒などのアルコール類、スポーツドリンク等の飲料物になるマーク３２が付着された。コーヒー、紅茶、日本茶、ミルク、ジュース、日本などのアルコール類、スポーツドリンク等の飲料物になるマーク３２は、表示線３２Ｂが水を主成分とした液体に基づく水素水を生成する場合に当該水を主成分とした液体の使用を示唆する線であることを示唆する文字・記号等をデザインした表示模様である。水を主成分とした液体がポット本体内に導入されたときに、適正に圧力室２１が形成され、蓋部２を取り外しした時に、ポット本体１の開口部１３からコーヒー、紅茶、日本茶、ミルク、ジュース、日本酒などのアルコール類、スポーツドリンクの飲料物である水を主成分とした液体が噴き出ることが防止される。
【手続補正５】
【補正対象書類名】明細書
【補正対象項目名】００５４
【補正方法】変更
【補正の内容】
【００５４】
液体を表すマーク３２は、液体を表現するコーヒー、紅茶、日本茶、ミルク、ジュース、日本酒などのアルコール類、スポーツドリンクの飲料物別あるいは分類して複数の表示線とすることができる。
【手続補正６】
【補正対象書類名】明細書
【補正対象項目名】００５５
【補正方法】変更
【補正の内容】
【００５５】
上述したように、それぞれ的確に直接的に表現する２種類のマークが用いられる。  水の場合には、水そのものを直接示すマーク、水を収納するミネラルボトルマーク、水を主成分とする場合には、コーヒー、紅茶、日本茶、ミルク、ジュース、日本などのアルコール類、スポーツドリンクの飲料物のマークが用いられる。スぺースが限定されたポット本体の外面上で、水あるいは水を主成分と飲料物を表すのに説明文を用いることは勧められない。視覚に訴える２種類のマークを用いることで、水の導入の場合、水を主成分とする液体の導入の場合かと瞬時に判定するのに便利である。
【手続補正７】
【補正対象書類名】明細書
【補正対象項目名】００５９
【補正方法】変更
【補正の内容】
【００５９】
図３にあっては、水を表現するミネラルボトルになるマーク３１がポット本体１の外面上で表示線２２Ａの直近の上側に付着され、水を主成分とした液体を表現するコーヒー、紅茶、日本茶、ミルク、ジュース、日本酒などのアルコール類、スポーツドリンクの飲料物になるマーク３２がポット本体１の外面上で表示線２２Ｂの直近の下側に付着されたが、図４に示される例では、説明図が付加して用いられる。
【手続補正８】
【補正対象書類名】明細書
【補正対象項目名】００６０
【補正方法】変更
【補正の内容】
【００６０】
当該説明図に水素水生成装置１００が記載され、説明図のボトル本体上で表示線２２Ａ及び２２Ｂが記載され、水を表現するミネラルボトルになるマーク３１がポット本体１の外面上で表示線２２Ａの直近の上側に記載され、水を主成分とした液体を表現するコーヒー、紅茶、日本茶、ミルク、ジュース、日本酒などのアルコール類、スポーツドリンクの飲料物になるマーク３２がポット本体１の外面上で表示線２２Ｂの直近の下側に記載された。
【手続補正９】
【補正対象書類名】明細書
【補正対象項目名】００６６
【補正方法】変更
【補正の内容】
【００６６】
１…ポット本体、２…蓋部、３…水素発生部、１３…開口部、１４…ボトル部内の圧力室から溢れ出た泡沫、１７…水素発生剤、２１…圧力室、２２…表示線、２２Ａ…水に対応した表示線、２２Ｂ…水を主成分とする液体に対応した表示線、３１…水を表現するミネラルボトルになるマーク、３２…コーヒー、紅茶、日本茶、ミルク、ジュース、日本酒などのアルコール類、スポーツドリンクの飲料物になるマーク、９０…電気分解装置、１００…水素水生成装置。